(57)【特許請求の範囲】
【請求項１】
複数の土台部材によって区画された囲み領域を形成する土台と、前記土台部材間に所定の間隔で架け渡される複数本の長尺の根太部材と、前記根太部材の上に敷かれる床板部材とからなる組立式建屋の土台部材と根太部材の接合構造において、
側面が長手方向に開口してなる半中空構造からなる前記土台部材に、前記根太部材を垂直上方向から受ける受け台の一部を、前記土台部材の上側面を支持するように前記開口部の所定の箇所に取り付けられ、前記根太部材の側端近傍には前記受け台に差込可能な切り欠き溝を設けたことを特徴とする組立式建屋の土台部材と根太部材の接合構造。
【発明の詳細な説明】
【技術分野】
【０００１】
本発明は、簡易店舗などに用いられる組立式建屋の土台部材と根太部材の接合構造に関する。
【背景技術】
【０００２】
従来、建屋の土台部材と根太部材の接合構造は、根太部材を土台部材の上に載せボルトなどで固定するものや、特許文献１（図５）に開示されているような土台部材の根太欠きに根太部材の端部を嵌合し固定するものなどがある。
【０００３】
然しながら、前者については、根太部材と土台部材を一本一本ボルトにて固定するためボルト締めに多くの作業時間を費やし、特に、工期が短期間に設定され多くの店舗を同時に組立てまたは解体することの多いイベント等の簡易店舗や組立式建屋については、作業効率上問題となる。
【０００４】
また、後者についても、前作業として土台部材毎に根太部材に適合する根太欠きを設けなければならず、その加工に手間が掛かるとともに、解体後、部材の再利用・再構築が限定されやすい。
【０００５】
更にまた、上記に示した従来の土台構造では、土台部材並びに根太部材を組立てるにあたり、土台部材を平行に保つために接合される各土台部材間の測定器による十分な調整や、また、根太部材及び根太部材に敷設される床板部材を水平に保つための調整作業などに多くの時間を費やすこととなるので工期が長期化することが多い。
【０００６】
そこで、床板部材（床パネル）を水平に保つための手段として特許文献２（図３）に記載されるような上下調整可能なユニット支持脚を各床パネルの下面に取付け各床パネルに支持する方法が開示されている。
【０００７】
確かに、この工法にて床パネルを、土台や根太または基礎床に敷設すれば、個々に床パネルの水平度を微調整できるため、土台部材や根太部材の調整に比べ時間的には短縮できそうであるが、上下調整可能なユニット支持脚は、連結されていない個々の床パネルに取付けられるため、床パネルの水平度を調整するには全ての床パネルに設けられているユニット支持脚を調整しなければならず、時間と手間が掛かる。
【特許文献１】特開平１１-０３６４５０号公報
【特許文献２】特開平０６−２７２３１７号公報
【発明の開示】
【発明が解決しようとする課題】
【０００８】
そこで本発明では、工期が短期間に設定され多くの店舗を同時に組立て、また解体することの多いイベント等の簡易店舗や組立式建屋について、短時間で各土台部材に複数本の長尺の根太部材を架け渡し、作業時間と手間の掛からない組立式建屋の土台部材と根太部材の接合構造を提供することを課題とするものである。
【課題を解決するための手段】
【０００９】
上記課題を解決するために、請求項１の発明は、複数の土台部材によって区画された囲み領域を形成する土台と、前記土台部材間に所定の間隔で架け渡される複数本の長尺の根太部材と、前記根太部材の上に敷かれる床板部材とからなる組立式建屋の土台部材と根太部材の接合構造において、
【００１０】
側面が長手方向に開口してなる半中空構造からなる前記土台部材に、前記根太部材を垂直上方向から受ける受け台の一部を、前記土台部材の上側面を支持するように前記開口部の所定の箇所に取り付けられている。
【００１１】
また、前記根太部材の側端近傍には前記受け台に差込可能な切り欠き溝を設けられている。
【発明の効果】
【００１２】
この発明によれば、従来のように、土台部材と根太部材の接続に接合ボルトを用い、ハンマーなどで叩いて根太部材を根太欠きに嵌合する作業をしなくとも、根太部材の側端近傍に設けられる切り欠き溝を、受け台に垂直方向から差し込むだけで、前記根太部材を前記土台部材に容易に接合することができる。
【００１３】
このため、工期が短期間に設定され多くの店舗を同時に組立て、また解体することの多いイベント等の簡易店舗や組立式建屋の作業が極めて容易であり、工期を大幅に短縮することができるとともに、解体が極めて容易であり、また土台部材には切り欠き溝はないため解体後の再利用にも優れているという効果がある。
【発明を実施するための最良の形態】
【００１４】
以下に、本発明の上記および他の目的、特徴および利点を明確にすべく、添付した図面を参照しながら、本発明の実施の形態につき詳細に説明する。
【実施例１】
【００１５】
本実施例の組立式建屋の土台部材と根太部材の接合構造は、図２に示す矢印に従い、土台部材１の受け台３に根太部材２の切り欠き溝４を差込んで構成される。
【００１６】
まず、土台部材１の構成について説明する。
【００１７】
図１、図２及び図３に示すように、土台部材１に設けられている受け台３は、土台部材１間の所定の間隔で架け渡される複数本の長尺の根太部材２を支持可能なように、区画された囲み領域を形成する土台の内側面に予定された間隔で設けられている。また、受け台３の土台部材１への取り付けは全て工場にて行なわれる。
【００１８】
受け台３は、図３、図４及び図５に示すように土台部材１を平面からみて逆Ｌ字状からなる２つの支持具３'を、背を対にするようにして、半中空構造からなる略Ｌ字状をした土台部材１の内部に配置され固定されている。
【００１９】
前記支持具３'と支持具３'の土台部材１への配設幅３ｄは、根太部材２の平面幅２ｄ（図９参照）よりも僅かに小さくしてある。これは、土台部材１の受け台３に、根太部材２を垂直上方向から被せるようにして支持するためである。
【００２０】
また、根太部材２の爪部２'が差込まれる土台部材１の爪部挿入幅３ａは、爪部２'の爪幅２ｃよりも僅かに大きくしてある（図８及び図９参照）。これは、根太部材２の爪部２'が土台部材１の爪部挿入口Ｓに差込可能にするためである。
【００２１】
なお、図６及び図７に示すように受け台３の支持具３''の形状は、略□字状のものでもよく、寸法は上記と同様である。但し、受け台３の支持具の形状は、これらの形状に限定される訳ではない。
【００２２】
次に、根太部材２の構成について説明する。
【００２３】
図２、図３、図８乃至図１０に示すように、根太部材２の両側端近傍には土台部材１の受け台３に垂直上方向から差込可能なように一定の深さを持つ切り欠き溝４が設けられている。ここでも、根太部材２の両側端近傍への切り欠き溝４の加工は全て工場にて行なわれる。
【００２４】
図１０に示すように、根太部材２の断面形状は逆凹字状を有している。
【００２５】
根太部材２の側端近傍に設けられている欠き溝４の形状は、図８に示すように、逆凹字状からなり、もって爪部２'を形成する。
【００２６】
欠き溝４の溝幅２ａは、受け台３を構成する支持具３'の厚みよりやや大きめに形成されている。これは、切り欠き溝４の受け台３への差込みを可能にするためである。
【００２７】
なお、根太部材２の爪幅２ｃ及び平面幅２ｄについては、上記の土台部材１に設けられる受け台３の構成で既に述べた。
【００２８】
このように、本実施例の組立式建屋の土台部材と根太部材の接合構造によれば、土台部材１と根太部材２を接合する場合に、従来のように接合ボルトを用いて締付け固定する作業や、ハンマーなどで叩いて根太部材１を根太欠きに嵌合する作業をしなくとも、根太部材２の側端近傍に設けられる一定の深さを持つ切り欠き溝５を、土台部材１の受け台３に垂直方向から単に差し込むことでだけで、土台部材１及び根太部材２とを接合できるため、作業が極めて容易であり、工期を大幅に短縮することができる。
【実施例２】
【００２９】
本実施例では、実施例１で述べた土台部材１及び根太部材１を短時間で平行且つ水平に支持し、併せて、根太部材２に敷かれている床板部材６を水平に調整可能な組立式建屋の支持脚取付け構造について述べる。
【００３０】
本実施例のその構成は、図１及び図１１に示すように、区画された囲み領域を形成する複数の土台部材１に、複数本の長尺の根太部材２が架け渡され、前記根太部材２の上には床板部材６が敷かれ、基礎面Ｂに対面する根太部材２及び土台部材１の下面上には、複数個の支持脚５を取付けられ構成されている。
【００３１】
この支持脚５は、建屋の規模や根太部材２の長さ、あるいは根太部材２に掛かる負荷に応じて、基礎面Ｂに対面する土台部材１及び根太部材２の下面上に略等間隔で複数取付けられている。
【００３２】
また支持脚５は図１２に示すように、支持ナット５ａと、接面部材５ｂと、支持ボルト５ｃとから構成され、前記接面部材５ｂは、前記支持ボルト５ｃの一端に固着され、前記接面部材５ｂが固着された支持ボルト５ｃの他端を支持ナット５ａに螺合して取付けられている。ちなみに、前記支持ボルト５ｃの一端に固着され前記接面部材５ｂを回転させることで、支持ナット５ａに螺合されている支持ボルト５ｃを介して上下方向に調整することができる。
【００３３】
次に、土台部材１及び根太部材２の基礎面Ｂへの設置方法について添付した図面を参照してしながら説明する。
【００３４】
図１１に示すように、本実施例では、先ず、土台部材１を支持しているの支持脚５について、基礎面Ｂに対して水平に保てるように上下方向に調整し土台を形成する。
【００３５】
次に、根太部材２を土台部材１に架け渡すように、土台部材１の受け台３に根太部材２の切り欠き溝４を差込み接合する。この時、根太部材２の下面上に取付けられている支持脚５の接面部材５ｂは、基礎面Ｂに接地させることなく、前もって上方向に上げておく。
【００３６】
根太部材２を土台部材１に架け渡し終わったら、上方向に上げておいた支持脚５の前記接面部材５ｂを、基礎面Ｂに接地するように下方向に下ろす。
【００３７】
このように、基本的な支持脚５（本実施例では土台部材１の下面上に取付けられている支持脚５）を先に基礎面に固定することで、残りの支持脚５（本実施例では根太部材２の下面に取付けられている支持脚５）については細かな上下方向への調整をすることなく基礎面Ｂに接地するように受動的に下方向に下ろすだけで土台部材１及び根太部材２の基礎面Ｂへの設置が完了する。
【００３８】
また、土台部材１は根太部材２と固着されていないため、根太部材２の支持脚５を調整するだけで根太部材２に敷かれている床板部材６の水平度も調整することができるので、特許文献２で示した床板部材に無数に取付けられている支持脚を一々調整する必要もなく、極めて容易に且つ短時間で土台部材１及び根太部材２の基礎面Ｂへの設置作業を行なうことができる。
【実施例３】
【００３９】
図１３では、土台部材１は既に基礎面Ｂに固定されているケースにおける支持脚５の基礎面Ｂへの設置方法に関するものであるが、基本的な設置方法は実施例２と同様である。
【００４０】
固定された土台部材１の上に、根太部材２を架け渡すように設置した後、根太部材２の下面上の両側端部近傍に取付けられている２個の支持脚５ついて、先ず上下方向に調整した後、残りの支持脚５を下方向に下げて調整する。
【図面の簡単な説明】
【００４１】
【図１】は、本発明の組立式建屋の土台部材と根太部材の接合構造を示す平面図である。
【図２】は、土台部材１と根太部材２の接合構造を示した斜視図である。
【図３】は、図２の側面図である。
【図４】は、土台部材１に受け台１を設けた第１の実施例示す平面図である。
【図５】は、図４の側面図である。
【図６】は、土台部材１に受け台１を設けたその他の実施例を示す平面図である。
【図７】は、図６の側面図である。
【図８】は、根太部材２の両側端近傍に設けられた爪部２'の形状を示した側面図である。
【図９】は、図８の底面図である。
【図１０】は、図８の正面図である。
【図１１】は、組立式建屋の支持脚取付け構造の第１の実施例を示す平面図である。
【図１２】は、図１１の破線円Ｅを示した拡大図。
【図１３】は、組立式建屋の支持脚取付け構造の他の実施例を示す平面図である。
【符号の説明】
【００４２】
１、１'    土台部材
２          根太部材
２'          爪部
２ａ        溝幅
２ｃ        爪幅
２ｄ        平面幅
３          受け台
３'          支持具
３ａ        爪部挿入幅
３ｄ        配設幅
４          切り欠き溝
５          支持脚
５ａ        支持ナット
５ｂ        接面部材
５ｃ        支持ボルト
６          床板部材
７          柱部材
Ｂ          基礎面
Ｓ          爪部挿入口
Ｅ          拡大部
【図１】
0004682817.tif 000002
【図２】
0004682817.tif 000003
【図３】
0004682817.tif 000004
【図４】
0004682817.tif 000005
【図５】
0004682817.tif 000006
【図６】
0004682817.tif 000007
【図７】
0004682817.tif 000008
【図８】
0004682817.tif 000009
【図９】
0004682817.tif 000010
【図１０】
0004682817.tif 000011
【図１１】
0004682817.tif 000012
【図１２】
0004682817.tif 000013
【図１３】
0004682817.tif 000014